【事件の表示】
　特願２０００−１８６３８２「電子部品供給装置」拒絶査定不服審判事件〔平成１４年　１月１１日出願公開、特開２００２−　　９４９０〕について、次のとおり審決する。
【結　論】
　本件審判の請求は、成り立たない。
【理　由】
第１　手続の経緯 
　本願は、平成１２年６月２１日の出願であって、平成１８年２月２日付で拒絶査定がなされ、これに対し、平成１８年３月９日に拒絶査定に対する審判請求がなされるとともに、平成１８年４月１０日付で手続補正がなされたものである。 
　 
第２　平成１８年４月１０日付の手続補正についての補正却下の決定 
【補正却下の決定の結論】 
　平成１８年４月１０日付の手続補正を却下する。 
　　 
【決定の理由】
［１］手続補正の内容 
　　本件手続補正の内容の一つは、特許請求の範囲を、次の（１−１）から次の（１−２）のとおりに補正するものである。
　なお、下線部は、補正箇所を示す。
　
（１−１） 
「【請求項１】  電子部品を部品収容部に収容した状態でピックアップ位置に向かって間欠送りするキャリアテープと、
　前記キャリアテープに進退自在に摺接し前記ピックアップ位置における部品収容部の上部をピックアップ可能に開閉するシャッタと、
　前記キャリアテープを上側から押さえてその間欠送りを案内すると共に前記シャッタが臨む切欠き窓を形成したサプレッサとを備え、
　前記シャッタおよび前記サプレッサの少なくとも一方には、前記シャッタが開放した状態で、前記ピックアップ位置における部品収容部の側縁部を押さえる押さえ片が設けられていることを特徴とする電子部品供給装置。
【請求項２】  前記シャッタは薄手の板ばねで構成されており、
　前記押さえ片はプレス成形により前記シャッタと一体に形成されていることを特徴とする請求項１に記載の電子部品供給装置。」
　
（１−２） 
「【請求項１】  電子部品を部品収容部に収容した状態でピックアップ位置に向かって間欠送りするキャリアテープと、
　前記キャリアテープに進退自在に摺接し前記ピックアップ位置における部品収容部の上部をピックアップ可能に開閉するシャッタと、
　前記キャリアテープを上側から押さえてその間欠送りを案内すると共に前記シャッタが臨む切欠き窓を形成したサプレッサとを備え、
　前記シャッタおよび前記サプレッサの少なくとも一方には、前記シャッタが開放した状態で、前記ピックアップ位置における部品収容部
直近
【請求項２】  前記シャッタは薄手の板ばねで構成されており、
　前記押さえ片はプレス成形により前記シャッタと一体に形成されていることを特徴とする請求項１に記載の電子部品供給装置。」
　
［２］本件手続補正の適否
　上記補正は、補正前の特許請求の範囲の請求項１〜２のうち請求項１に記載した発明について、「ピックアップ位置における部品収容部の側縁部を押さえる押さえ片」を「ピックアップ位置における部品収容部直近の側縁部を押さえる押さえ片」として、「押さえ片」が押さえる位置を特定するものである。
　したがって、この補正は発明を特定するために必要な事項を限定するものであって、発明の産業上の利用分野及び解決しようとする課題が同一であるから、特許法第１７条の２第４項第２号で定める特許請求の範囲の減縮を目的とするものに該当する。      
　そこで、本件補正後の前記請求項１に記載された発明が特許出願の際独立して特許を受けることができるものであるか（平成１５年改正の特許法第１７条の２第５項において準用する同法第１２６条第５項の規定に適合するか）について以下に検討する。
　
〈独立特許要件について〉
［２−１］本件補正発明
　本件補正後の発明は、補正後の明細書の特許請求の範囲１〜２に記載されたものであるところ、その請求項１に係る発明（以下、「本願補正発明１」は、次のとおりのものである。
　
「電子部品を部品収容部に収容した状態でピックアップ位置に向かって間欠送りするキャリアテープと、
　前記キャリアテープに進退自在に摺接し前記ピックアップ位置における部品収容部の上部をピックアップ可能に開閉するシャッタと、
　前記キャリアテープを上側から押さえてその間欠送りを案内すると共に前記シャッタが臨む切欠き窓を形成したサプレッサとを備え、
　前記シャッタおよび前記サプレッサの少なくとも一方には、前記シャッタが開放した状態で、前記ピックアップ位置における部品収容部直近の側縁部を押さえる押さえ片が設けられていることを特徴とする電子部品供給装置」
　
［２−２］引用例及び引用例の記載事項
　原査定の拒絶の理由に引用された特開平１０−２２６８６号公報、及び特開平７−３０２８３号公報（以下、それぞれ「引用例１」、「引用例２」という。）には、次の事項が記載されている。
　
（１）引用例１：特開平１０−２２６８６号公報
（１ａ）「【請求項１】チップ部品をチップ収容凹部に収容し吸着位置に向かって間欠送りされるキャリアテープと、前記吸着位置の後方で前記チップ部品の前記チップ収容凹部からの脱落を阻止するサプレッサと、前記キャリアテープに対しその延在方向に進退自在に摺接し前記吸着位置において前記チップ収容凹部を開閉するシャッタとを備えた部品供給装置において、
　前記シャッタは、先端部が前記チップ収容凹部を跨ぐ幅を有すると共に前記キャリアテープに向かって斜めに延びてこれを押圧する板ばねで構成され、前記サプレッサの前記吸着位置側の部位には、開放方向に後退した前記シャッタを受容するシャッタ逃げ部が形成されていることを特徴とする部品供給装置。」
（１ｂ）「【０００３】
　この場合、カバーテープが引き剥されたキャリアテープからチップ部品が飛び出さないように、キャリアテープの上側にはサプレッサが吸着位置に向かって延びている。さらに、シャッタの後退スペースを確保するためサプレッサの先端はシャッタの移動ストローク分、吸着位置から後退しており、この移動ストローク分の空間を埋めるべく、キャリアテープとサプレッサとの間には、吸着位置の直近まで延びる薄板が設けられている。すなわち、シャッタはこの薄板上を進退するようになっている。」
　
（２）引用例２：特開平７−３０２８３号公報
（２ａ）「【０００１】
【産業上の利用分野】本発明は、長尺なテープに封入されたチップ形の電子部品を、テープ供給路の終端部の部品取出位置に１個ずつ供給する部品供給装置に関する。」
（２ｂ）「【０００７】
【発明が解決しようとする課題】しかしながら、上記従来のものでは、部品取出位置Ａ（窓部６ａ部分）において、カバー６によるテープ３（保持テープ１０）の押えが十分に行われなくなるため、テープ３が部分的に浮上がって傾くようなことがあり、テープ３の送り時の振動により部品１１が凹部１０ｂ内から跳上がってしまう虞があった。このように部品１１が跳上がることがあると、部品１１が凹部１０ｂ内から飛出してしまったり、凹部１０ｂの縁部に斜めに乗上げたような状態となり、吸着ミスを招いてしまうことになる。」
（２ｃ）「【０００９】本発明は上記事情に鑑みてなされたもので、その主たる目的は、テープに保持された電子部品を部品取出位置に送り出すものにあって、部品取出位置に送り出されたテープが振動することを極力防止することができる部品供給装置を提供するにある。そして、これに加えて、吸着ミスに起因するテープ押えの浮上がりを防止し、また、保護フィルムの剥離時の電子部品の引掛かりを防止することを副次的な目的としている。」
（２ｄ）「 【００１９】本体フレーム２２の先端部の上面部には、図１などにも示すように、前記テープ２４（保持テープ２９）の両側縁部が載置されて送られるテープ供給路３１が前後方向に延びて設けられており、このテープ供給路３１の終端部（前端部）が部品取出位置Ａとされている。前記テープ供給リール２７から引出されたテープ２４は、このテープ供給路３１上を前方へスライド移動するようになっている。このとき、詳しくは後述するように、テープ供給路３１の上方は前記部品取出位置Ａを除いてテープ押え３２により覆われ、テープ２４はそれらの間の隙間を通るようになっている。」
（２ｅ）「  【００２５】さて、前記テープ押え３２部分について、図１乃至図４を参照して詳述する。前記テープ押え３２は、比較的厚肉な金属板から構成され、図２及び図３に示すように、前記テープ供給路３１の上方を、その終端部（図で右端部）の部品取出位置Ａを除いて覆うように設けられている。そして、先端部（図で右側）には、部品取出位置Ａからさらに先方の保持テープ回収路３５の始端部分まで延びて、前記テープ２４のスプロケット穴２９ｂが形成されている側の側縁部を押える延出部３２ｂが一体に設けられている。また、図２に示すように、この延出部３２ｂの上面には、前記吸着ノズル４２の吸着位置を示しテープ２４のセット時の位置合せを容易とするための位置合せマーク３２ｃが設けられている。
【００２６】また、このテープ押え３２には、部品取出位置Ａ側で開放し、退避位置にあるシャッタ部材３８の作用面部３８ａが配置される矩形状の切欠部３２ｄが形成されている。さらに、前述のように、テープ供給路３１の中間部に位置して、保護フィルム３０を排出するためのスリット３２ａが設けられている。このスリット３２ａは、加工上の制約から比較的幅広に形成されている。」
（２ｆ）「【００２７】そして、このテープ押え３２の下面には、金属製の薄板４３がこの場合かしめ及び接着により取付けられている。この薄板４３は、図２に破線で示すように、テープ押え３２の下面部形状に沿ってほぼ同等の形状に構成されているのであるが、図１にも示すように、この薄板４３には、前記部品取出位置Ａ側に延出し前記テープ２４のスプロケット穴２９ｂとは反対側の側縁部を押える細幅状の押え板４４が一体に形成されている。」
（２ｇ）「【００３１】次に、上記構成の作用について述べる。上述のように、駆動レバー３４が駆動されることにより、テープ２４はテープ供給路３１を１ピッチずつ前方に送られ、部品取出位置Ａに１個づつ電子部品２３が供給される。このとき、部品取出位置Ａでは、テープ２４（電子部品２３）が露出するようになるが、テープ押え３２には、保持テープ２９のスプロケット穴２９ｂが形成されている側の側縁部を押える延出部３２ｂが一体に設けられていると共に、その反対側の側縁部を押える押え板４４が設けられているので、部品取出位置Ａにおいてもテープ２４の押えを十分に行うことができるようになる。
【００３２】従って、部品取出位置Ａにおいて、テープ２４が大きく振動するようなことがなくなり、電子部品２３が凹部２９ａ内から跳上がってしまうことが未然に防止される。また、この場合、押え板４４を、テープ押え３２の下面に設けた薄板４３に一体に設けるようにしているので、テープ押え３２自体の加工が困難である事情があっても、押え板４４を容易に設けることができるのである。」
　
［２−３］当審の判断 
（１）引用例１に記載された発明    
　引用例１の（１ａ）には、「チップ部品をチップ収容凹部に収容し吸着位置に向かって間欠送りされるキャリアテープと、前記吸着位置の後方で前記チップ部品の前記チップ収容凹部からの脱落を阻止するサプレッサと、前記キャリアテープに対しその延在方向に進退自在に摺接し前記吸着位置において前記チップ収容凹部を開閉するシャッタとを備えた部品供給装置において、前記シャッタは、先端部が前記チップ収容凹部を跨ぐ幅を有すると共に前記キャリアテープに向かって斜めに延びてこれを押圧する板ばねで構成され、前記サプレッサの前記吸着位置側の部位には、開放方向に後退した前記シャッタを受容するシャッタ逃げ部が形成されていることを特徴とする部品供給装置。」が記載されている。
　以上の記載を、本願補正発明１の記載ぶりに則り整理すると、引用例１には次の発明（以下、これを「引用発明」という。）が記載されているといえる。
　
「チップ部品をチップ収容凹部に収容し吸着位置に向かって間欠送りされるキャリアテープと、
　前記キャリアテープに対しその延在方向に進退自在に摺接し前記吸着位置において前記チップ収容凹部を開閉するシャッタと、
　前記吸着位置の後方で前記チップ部品の前記チップ収容凹部からの脱落を阻止するサプレッサとを備えた部品供給装置。」
　                       　　　　　　　
（２）本願補正発明１と引用発明との対比 
　本願補正発明１と引用発明とを対比する。 
　引用発明の「チップ部品」、「チップ収容凹部」及び「吸着位置」は、それぞれ、本願補正発明１の「電子部品」、「部品収容部」及び「ピックアップ位置」に相当する。
　また、引用発明の「サプレッサ」は、吸着位置の後方でチップ部品のチップ収容凹部からの脱落を阻止するものであり、引用例１の（１ｂ）の「カバーテープが引き剥されたキャリアテープからチップ部品が飛び出さないように、キャリアテープの上側にはサプレッサが吸着位置に向かって延びている。さらに、シャッタの後退スペースを確保するためサプレッサの先端はシャッタの移動ストローク分、吸着位置から後退しており、この移動ストローク分の空間を埋めるべく、キャリアテープとサプレッサとの間には、吸着位置の直近まで延びる薄板が設けられている。」という記載及び図１からみて、このサプレッサは、間欠送りされるキャリアテープを上側から押さえて案内するものであり、そして、吸着位置において、シャッタが臨む開口、言い換えると、切欠き窓を形成したものであるといえる。
　したがって、両者は、「電子部品を部品収容部に収容した状態でピックアップ位置に向かって間欠送りするキャリアテープと、
　前記キャリアテープに進退自在に摺接し前記ピックアップ位置における部品収容部の上部をピックアップ可能に開閉するシャッタと、
　前記キャリアテープを上側から押さえてその間欠送りを案内すると共に前記シャッタが臨む切欠き窓を形成したサプレッサとを備えた電子部品供給装置。」である点で一致し、次の点で相違する。
　
　相違点；
　本願補正発明１は、「前記シャッタおよび前記サプレッサの少なくとも一方には、前記シャッタが開放した状態で、前記ピックアップ位置における部品収容部直近の側縁部を押さえる押さえ片が設けられている」ものであるのに対し、引用発明は、そのような押さえ片が設けられているものではない点。
  
（３）相違点についての判断 
　引用例２には、「長尺なテープに封入されたチップ形の電子部品を、テープ供給路の終端部の部品取出位置に１個ずつ供給する部品供給装置」〔（２ａ）参照〕に関して、「従来のものでは、部品取出位置Ａ（窓部６ａ部分）において、カバー６によるテープ３・・・の押えが十分に行われなくなるため、テープ３が部分的に浮上がって傾くようなことがあり、テープ３の送り時の振動により部品１１が凹部１０ｂ内から跳上がってしまう虞があった。」〔（２ｂ）参照〕ので、「部品取出位置に送り出されたテープが振動することを極力防止することができる部品供給装置を提供」し、「そして、これに加えて、吸着ミスに起因するテープ押えの浮上がりを防止」（（２ｃ）参照〕するために、テープ押えの「先端部・・・には、部品取出位置Ａからさらに先方の保持テープ回収路３５の始端部分まで延びて、前記テープ２４の・・・側縁部を押える延出部３２ｂが一体に設けられ」〔（２ｅ）参照〕、また、「テープ押えの下面には、金属製の薄板４３が、・・・取り付けられている。この薄板４３は、・・・テープ押さえ３２の下面形状に沿ってほぼ同等の形状に構成されているのであるが、・・・この薄板３２には、・・・前記部品取出位置Ａ側に延出し前記テープ２４の・・・反対側の側縁部を押える細幅状の押え板４４が一体に形成されている。」〔（２ｆ）参照〕ことが記載されている。
　要するに、引用例２には、従来のものでは、部品取出位置において、カバーによるテープの押えが十分に行われなくなるため、テープが部分的に浮上がって傾くようなことがあり、テープの送り時の振動により部品が凹部内から跳上がってしまうことがあったので、これを防止するために、テープ押えに、テープの側縁部を押える延出部が一体に設けられ、また、テープ押さえの下面に取り付けた、テープ押さえの下面と同等の形状をした薄板に、テープの反対側の側縁部を押さえる押さえ板が一体的に形成されるという解決手段を採用したことが記載されている。
　ここで、引用例２の（２ｄ）の「テープ供給路３１の上方は前記部品取出位置Ａを除いてテープ押え３２により覆われ、テープ２４はそれらの間の隙間を通るようになっている。」という記載、及び（２ｅ）の「このテープ押え３２には、部品取出位置Ａ側で開放し、退避位置にあるシャッタ部材３８の作用面部３８ａが配置される矩形状の切欠部３２ｄが形成されている。」という記載によれば、引用例２の「テープ押さえ」は、引用発明における「サプレッサ」に相当するものであるといえる。
　ところで、引用例２では、テープ押さえ、すなわち、サプレッサに一体に設けられた延出部、及びサプレッサの下面に取り付けた薄板に一体に形成された押さえ板を用いて、テープの両方の側縁部を押さえるものであるが、このようにテープの両側の側縁部を押さえるまでもなく、一方の側縁部のみを押さえることによっても、テープの浮き上がりを防止できるであろうことは当業者が容易に予測できることであるから、引用発明の電子部品供給装置において、キャリアテープの一方の側縁部を押さえて、テープが部分的に浮上がって傾いたり、テープの送り時の振動により部品が凹部内から跳上がってしまうことを防止するために、サプレッサに、ピックアップ位置におけるテープの側縁部を押える延出部、すなわち、押さえ片を設け、その際に、押さえ片を設ける位置を検討して、テープの部品収容部付近が浮き上がるのを確実に防止できるように、テープの部品収容部直近の側縁部を押さえる位置に設ける程度のことは当業者であれば容易に想到することができたことといえる。
　
（４）小括 
　以上のとおりであるから、本願補正発明１は、引用例１及び２に記載された発明に基づいて、当業者が容易に発明をすることができたものであるから、特許法第２９条第２項の規定により特許出願の際独立して特許を受けることができないものである。
　　
［２−４］むすび 
　以上のとおり、本件補正は、平成１５年改正の特許法第１７条の２第５項で準用する同法第１２６条第５項の規定に違反するものであり、特許法第１５９条第１項で準用する特許法第５３条第１項の規定により却下されるべきものである。
　
第３　本願発明についての審決
［１］本願発明
　平成１８年４月１０日付の手続補正は上記のとおり却下されたので、本願発明は、願書に最初に添付した明細書の特許請求の範囲の請求項１〜２により特定されるとおりのものである。そして、その請求項１（以下、「本願請求項１発明」という。）は次のとおりである。
　
「【請求項１】電子部品を部品収容部に収容した状態でピックアップ位置に向かって間欠送りするキャリアテープと、
前記キャリアテープに進退自在に摺接し前記ピックアップ位置における部品収容部の上部をピックアップ可能に開閉するシャッタと、
前記キャリアテープを上側から押さえてその間欠送りを案内すると共に前記シャッタが臨む切欠き窓を形成したサプレッサとを備え、
前記シャッタおよび前記サプレッサの少なくとも一方には、前記シャッタが開放した状態で、前記ピックアップ位置における部品収容部の側縁部を押さえる押さえ片が設けられていることを特徴とする電子部品供給装置。」
  　
［２］原査定の理由の概要
　原査定の理由の概要は、この出願の請求項１及び２に係る発明は、その出願前日本国内又は外国において頒布された刊行物である下記の引用例１及び２に記載された発明に基づいて、当業者が容易に発明をすることができたものであるから、特許法第２９条第２項の規定により特許を受けることができないというものである。
　　　　　　　　　　　　　　　記
　
　　引用例１；特開平１０−２２６８６号公報
　　引用例２；特開平７−３０２８３号公報
　
［３］引用例及び引用例の記載事項
　原査定の拒絶の理由に引用された引用例の記載及び認定事項は、上記第２の［２−２］に記載したとおりである。
　
［４］当審の判断    
　上記第２の［２−１］の本願補正発明１は、本願請求項１発明の「ピックアップ位置における部品収容部の側縁部を押さえる押さえ片」を、「ピックアップ位置における部品収容部直近の側縁部を押さえる押さえ片」として、「押さえ片」が押さえる位置をさらに特定するものである。
　このように発明を特定するために必要な事項をより狭い範囲に限定した本願補正発明１が、引用例１及び引用例２に記載された発明に基づいて、当業者が容易に発明をすることができたものであると認められる以上、本願請求項１発明も、上記第２の［２−３］に記したと同様の理由により、上記引用例１及び引用例２に記載された発明に基づいて当業者が容易に発明をすることができたものである。
　
［５］むすび
　以上のとおり、本願請求項１発明は、引用例１及び引用例２に記載された発明に基づいて当業者が容易に発明をすることができたものであるから、特許法第２９条第２項の規定により特許を受けることができないものであるので、その余の発明について検討するまでもなく、本願は、拒絶すべきでものである。 
　よって、結論のとおり審決する。